(57)【要約】【課題】  板状部材を支持部材に簡単に取り付けるだけでなく、より簡素な構造で強固且つ確実に取り付けることを可能にしたフェンス用の板状部材の取付具を提供することにある。【解決手段】  取付具２は、支持部材１２に固定される基板部４と、その端辺から屈曲して立ち上がり板状部材１０の溝１０ａ内に嵌入される嵌入板部６と、その先端付近に設けられ且つバネ性を有し溝１０ａ内に係合する係合片８と、を備えている。取付具２は、その基板部４を支持部材１２に固定し、嵌入板部６が溝１０ａ内に嵌入するように板状部材１０を押圧すると、溝１０ａ内に入った係合片８が段部１０ｃに係合する。これにより、嵌入板部６は溝１０ａから抜脱できない状態になり、板状部材１０を支持部材１２に確実に取り付けることができる。【選択図】      図１０
2010248857.tif 000002
【特許請求の範囲】
【請求項１】
板状部材を支持部材に取り付ける取付具であって、
前記支持部材に固定される基板部と、
該基板部の相対する端辺から立ち上がり、前記板状部材に設けられた溝内に嵌入される一対の嵌入板部と、
バネ性を有し且つ前記嵌入板部の外側に突出すると共に、前記板状部材の溝内に係合する係合片と、
を備えることを特徴とする板状部材の取付具。
【請求項２】
前記係合片は、前記嵌入板部の先端付近を切り起こすことにより形成されることを特徴とする請求項１に記載の板状部材の取付具。
【請求項３】
前記係合片は、前記嵌入板部の先端側から前記基板部の方向に向かって広がるように傾斜して突出することを特徴とする請求項２に記載の板状部材の取付具。
【請求項４】
前記嵌入板部の先端には、屈曲されて前記係合片に連続する傾斜部が形成されていることを特徴とする請求項１に記載の板状部材の取付具。
【発明の詳細な説明】
【技術分野】
【０００１】
本発明は、主に屋外に設置されるフェンスに用いられる板状部材を支柱等に固定する取付具に関するものであり、特に、板状部材を押圧するだけで取り付けることができるものに関する。
【背景技術】
【０００２】
従来から家屋の周囲等に設けられるフェンスは、木材、プラスチック、金属等からなる板状部材を１枚１枚支柱に釘やネジで固定することにより構築されるものであった。しかしながら、このように釘やネジで１枚ずつ板状部材を取り付けるのは、非常に手間がかかるという問題があった。
【０００３】
そこで、板状部材を支柱等にワンタッチで確実に取り付けることが望まれており、例えば、係合用の爪を設けることでワンタッチで取り付けること等が考えられた。例えば、胴縁と縦格子との取り付けに関しては、板バネと爪を組み合わせた支持材を縦格子内に設け、胴縁の開口に縦格子を挿入することにより、縦格子から突出する爪が板バネに抗して引っ込み、胴縁内にて爪が飛び出して係合するよう構成した取付構造が提案されていた（例えば、特許文献１参照）。
【０００４】
しかしながら、上記従来の取付構造では、胴縁と縦格子の形状が限定されると共に爪部分の強度が低く、支柱に横木を取り付けるフェンスに応用すると、支柱や横木の形状や組み付けが限定され、また、爪の変形や脱落等の問題が生じることが考えられた。このため、支柱に横木を取り付けるフェンスの構造では、より簡素で確実に取り付けることができる構造が必要であった。
【先行技術文献】
【特許文献】
【０００５】
【特許文献１】特開２００８−１４１０２号公報
【発明の概要】
【発明が解決しようとする課題】
【０００６】
本発明が解決しようとする課題は、上記従来技術の問題点を解決し、板状部材を支持部材に簡単に取り付けるだけでなく、より簡素な構造で強固且つ確実に取り付けることを可能にした板状部材の取付具を提供することにある。
【課題を解決するための手段】
【０００７】
本発明に係る板状部材の取付具は、フェンス用の板状部材を支持部材に取り付けるための取付具であって、前記支持部材に固定される基板部と、該基板部の相対する端辺から立ち上がり、前記板状部材に設けられた溝内に嵌入される一対の嵌入板部と、バネ性を有し且つ前記嵌入板部の外側に突出すると共に、前記板状部材の溝内に係合する係合片と、を備えている。
【０００８】
この取付具における前記係合片は、前記嵌入板部の先端付近を切り起こすことにより形成されている。また、この係合片は、前記嵌入板部の先端側から前記基板部の方向に向かって広がるように傾斜して突出している。
【０００９】
また、この取付具における前記嵌入板部の先端には、屈曲されて前記係合片に連続する傾斜部が形成されている。
【発明の効果】
【００１０】
本発明に係る板状部材の取付具は、支持部材に固定される基板部と、その端辺から屈曲して立ち上がる嵌入板部と、その先端付近に設けられた係合片と、を有している。また、この取付具においては、基板部が支持部材に固定され、嵌入板部が板状部材の溝に嵌入されることで支持部材に板状部材を取り付けており、更に係合片が溝内に係合することで溝から嵌入板部が抜脱することを阻止している。このように、本発明における取付具は、１枚の板材を屈曲及び切り起こすことで形成可能であり、極めて簡素な構成を有しており、どのような形状の支持部材及び板状部材であっても使用することができる。特に、板状部材の荷重は、基板部と嵌入板部が受け、係合片に無理な負荷が加わることがない。従って、係合片が変形して嵌入板部が板状部材の溝から抜脱することがなく、確実に取り付けることができる。
【００１１】
また、係合片は、嵌入板部の先端側から基板部の方向に向かって広がるように傾斜して突出しており、嵌入板部の先端には係合片に連続する傾斜部が設けられている。これにより、嵌入板部と係合片は、溝に嵌入し易く外れ難い状態になり、組み付け易く、確実に取り付けることができる。
【図面の簡単な説明】
【００１２】
【図１】本発明の第１実施例に係る板状部材の取付具を示す平面側の斜視図である。
【図２】図１に示した取付具の底面側の斜視図である。
【図３】図１に示した取付具の平面図である。
【図４】図１に示した取付具の正面図である。
【図５】図１に示した取付具の底面図である。
【図６】図１に示した取付具の左側面図である。
【図７】図４に示した取付具のＡ−Ａ線断面図である。
【図８】本発明の取付具を用いてフェンスを組み立てる状態を示す斜視図である。
【図９】図８に示したフェンスの組み立て完成の状態を示す正面図である。
【図１０】本発明の取付具を用いて支持部材に板状部材を取り付ける状態を示す図９のＢ−Ｂ線断面に相当する図である。
【図１１】本発明の第２実施例に係る板状部材の取付具を示す平面側の斜視図である。
【図１２】図１１に示した取付具の底面側の斜視図である。
【図１３】図１１に示した取付具の平面図である。
【図１４】本発明の第３実施例に係る板状部材の取付具を示す平面側の斜視図である。
【図１５】図１４に示した取付具の底面側の斜視図である。
【図１６】図１４に示した取付具の平面図である。
【発明を実施するための形態】
【００１３】
本発明に係る板状部材の取付具は、支持部材に固定される基板部と、その端辺から屈曲して立ち上がり板状部材の溝内に嵌入される一対の嵌入板部と、その先端付近に設けられ且つバネ性を有し溝内に係合する係合片と、を備えている。この取付具は、その基板部を支持部材に固定し、嵌入板部が溝内に嵌入するように板状部材を押圧すると、溝内に入った係合片が溝内に係合する。この係合片が溝内に係合すると、嵌入板部は溝から抜脱できない状態になり、板状部材を支持部材に確実に取り付けることができる。
【実施例】
【００１４】
図１乃至図６は本発明の第１実施例に係る板状部材の取付具を示す上下の斜視図、平面図、正面図、底面図及び左側面図であり、図７は図４のＡ−Ａ線断面図である。また、図８乃至図１０はこの取付具を用いて支持部材にフェンス用の板状部材を取り付ける状態を示す斜視図、正面図、及び断面図である。
【００１５】
図中、符号２は板状部材１０を支持部材１２に固定するための取付具である。この取付具２は、１枚の金属板を屈曲及び切り起こすことにより形成されており、基板部４と、嵌入板部６と、係合片８とを備えている。
【００１６】
基板部４は、図８乃至図１０に示すように、支持部材１２の取付面１２ａに適合する矩形状の平板からなる。また、基板部４には、ネジ、ボルト等の止め具を挿通するための貫通孔４ａが２つ設けられている。
【００１７】
嵌入板部６は、基板部４の相対する端辺からそれぞれ略直角に立ち上がるように屈曲されて形成されている。本実施例における嵌入板部６は、細長矩形状をなし、その先端付近に係合片８が設けられている。
【００１８】
係合片８は、嵌入板部６の先端付近を、先端側が連結し且つ基板部４側が略コの字形をなすように切断して、先端側から基板部４の方向に向かって広がるように切り起こして傾斜させることにより形成されている。このように形成された係合片８は、切り起こした下端部８ａが嵌入板部６の外側に突出することになると共にバネ性を有する。また、嵌入板部６の外側への突出幅は、係合片８の下端部８ａを切断することで適宜調整している。また、この係合片８は、嵌入板部６に連結した部分で屈曲させて形成しても良いが、本実施例においては、嵌入板部６の先端を係合片８と連続するように内側に屈曲傾斜させて傾斜部６ａを形成することで、係合片８を切り起こしている。このように形成すると、傾斜部６ａにより嵌入板部６を後述する溝に嵌入し易くすることができ、また、嵌入板部６の先端の屈曲位置を変えることで係合片８の傾斜丈を調整することもできる。
【００１９】
次に、上記構成からなる取付具２によって、支持部材１２に板状部材１０を取り付けてフェンスを施工する場合について図８乃至図１０に基づいて説明する。
【００２０】
本実施例における支持部材１２は木製、金属製等の支柱や外壁等からなるものであり、取付具２を強固にネジ止めすることができるものであればどのような材質のものであっても良い。また、この支持部材１２に取り付ける板状部材１０は、木、発泡ポリエチレン等のプラスチック等からなるものであり、本実施例においては、横木として使用する細長い板形状に形成されている。また、この板状部材１０には、図８に示すように、取付具２の嵌入板部６が嵌入可能な上下幅を有し且つ図８中横方向に形成された溝１０ａが設けられている。本実施例における溝１０ａは、図１０に示すように、板状部材１０の取付方向にある開口の縁部に案内斜面１０ｂを有し、断面形状が略Ｔ形状をなすように内部が広がっていて内側壁に段部１０ｃが設けられている。
【００２１】
図８に示すように、はじめに柱状の支持部材１２の取付面１２ａに取付具２を固定する。本実施例における取付具２は、嵌入板部６が上下に位置するように方向付けし、図１０に示すように、その基板部４の貫通孔４ａにネジ１４を挿通させて支持部材１２にネジ止めする。その後、図１０（ａ）に示すように、溝１０ａ内に嵌入板部６が嵌入するように、板状部材１０の溝１０ａの案内斜面１０ｂを取付具２の係合片８に位置合わせし、その状態で板状部材１０を取付具２に向かって矢印方向に押し付ける。この押し付けにより、係合片８はその下端部８ａが溝１０ａの案内斜面１０ｂに沿って内側に押し込まれ、さらに図１０（ｂ）に示すように、案内斜面１０ｂから溝１０ａに続く縦壁１０ｄ（図１０（ａ）参照）によって押し込まれ、係合片８は縦壁１０ｄと略平行になるまで弾性変形する。そして、板状部材１０をさらに押し付けると、図１０（ｃ）に示すように、取付具２の嵌入板部６が板状部材１０の溝１０ａの内部に嵌入されると同時に、係合片８が縦壁１０ｄの拘束から解放されて弾性復帰し、溝部１０ａの段部１０ｃに係合する。このように、係合片８が段部１０ｃに係合することで、嵌入板部６が溝１０ａから抜脱することが阻止され、板状部材１０は取付具２から取り外すことができなくなり、板状部材１０を支持部材１２に確実に取り付けることができる。
【００２２】
なお、本実施例においては、溝１０ａを板状部材１０の長手方向の一端から他端まで形成しているので、板状部材１０をその長手方向にずらすことで取付具２から取り外すことが可能である。このため、板状部材１０の端部に金具を嵌めたり、溝１０ａを分断して部分的に形成することで、長手方向にも取り外すことができなくすることが可能である。また、板状部材１０を長手方向にずらすことが可能であると、板状部材１０がプラスチック等からなり温度によって長手方向に伸縮するものであっても、取付具２との係合状態に影響を及ぼすことなく、板状部材１０の伸縮を逃がすことが可能となる。従って、プラスチック等からなる板状部材１０の場合には、その長手方向一杯に溝１０ａを形成することが好ましい。
【００２３】
また、本実施例では、溝１０ａに案内斜面１０ｂや段部１０ｃを設けているが、木やプラスチックのように係合片８の嵌め込みと係合が比較的容易な材料で板状部材１０が形成されている場合には、凹状の断面を有する簡単な溝や蟻溝で溝１０ａを構成しても良い。
【００２４】
また、本実施例においては、取付具２を用いて板状部材１０を横向きに取り付けることでフェンスを形成しているが、板状部材１０を壁面等に縦に向けて取り付けることも可能である。
【００２５】
図１１乃至図１３には本発明に係る板状部材の取付具の第２実施例が示される。ここに示された取付具２０は、第１実施例に係る取付具２に対して全体幅寸法ｗ１を大きくとり、それに合わせて係合片２８の係合幅寸法ｗ２も大きくした以外は共通するので、同様の構成には同一の符号を付すことで詳細な説明は省略する。この実施例では取付具２０の全体幅寸法ｗ１及び係合片２８の係合幅寸法ｗ２を大きくしたことで、板状部材１０との係合をより確実なものとすることができる。
【００２６】
図１４乃至図１６には本発明に係る板状部材の取付具の第３実施例が示される。ここに示された取付具３０は、第２実施例に係る取付具２０とは全体形状が同じ大きさであり、また係合片の係合幅寸法ｗ２もほぼ同じであるが、この係合片を左右に２つに分けて係合片３８ａ，３８ｂとし、その間を嵌入板部３６で連結して補強構造とした点で異なる。このように係合片３８ａ，３８ｂを２つに分け、その間を連結することで２つの係合片３８ａ，３８ｂが補強され、係合幅寸法ｗ２を大きくしたことによる係合片の強度低下を防ぐことができると共に、より板状部材１０との係合をより一層確実なものとするにすることができる。なお、第２実施例と同様、第１実施例の取付具２の同様の構成には同一の符号を付すことで詳細な説明は省略する。
【産業上の利用可能性】
【００２７】
本発明に係る板状部材の取付具は、フェンス用として使用することが最も好ましいが、外壁面に板状部材を取り付けるサイディング等にも利用することができる。
【符号の説明】
【００２８】
２      取付具
４      基板部
４ａ    貫通孔
６      嵌入板部
６ａ    傾斜部
８      係合片
８ａ    下端部
１０    板状部材
１０ａ  溝
１０ｂ  案内斜面
１０ｃ  段部
１０ｄ  縦壁
１２    支持部材
１２ａ  取付面
１４    ネジ
２０    取付具
２８    係合片
３０    取付具
３６    嵌合板部
３８ａ  係合片
３８ｂ  係合片
【図１】
2010248857.tif 000003
【図２】
2010248857.tif 000004
【図３】
2010248857.tif 000005
【図４】
2010248857.tif 000006
【図５】
2010248857.tif 000007
【図６】
2010248857.tif 000008
【図７】
2010248857.tif 000009
【図８】
2010248857.tif 000010
【図９】
2010248857.tif 000011
【図１０】
2010248857.tif 000012
【図１１】
2010248857.tif 000013
【図１２】
2010248857.tif 000014
【図１３】
2010248857.tif 000015
【図１４】
2010248857.tif 000016
【図１５】
2010248857.tif 000017
【図１６】
2010248857.tif 000018